(57)【要約】【課題】  無線LANによる通信モードと１ｘＥＶ− ＤＯ 等の他の通信方式による通信モードとを有する携帯端末において、無線LANによる通信モードに自動的に切替るようにする。【解決手段】  携帯電話機４は無線LANのホットスポット２に入ったことを検出すると、通信モードを１ｘＥＶ− ＤＯから無線LANに自動的に切替る。そのときの位置情報をGPS７で取得し、無線LAN 又は１ｘＥＶ− ＤＯにより基地局２又は３を介してサーバ５にアップロードする。サーバ５は過去のホットスポット情報を更新する。携帯電話機４がホットスポット２から出たことを検出すると、無線LANから１ｘＥＶ− ＤＯへ自動的に切り替えると共に、GPS７で取得した位置情報を１ｘＥＶ−ＤＯによりサーバ５にアップロードしてメモリ６のホットスポット情報を更新する。【選択図】        図１
2005079844.tif 000002
【特許請求の範囲】
【請求項１】
局所的にサービスを提供するシステムとの無線通信を行う第１の通信手段と、
広域のサービスを提供するシステムとの無線通信を行う第２の通信手段と、
前記局所的にサービスを提供するシステムの無線サービスエリアを検出するエリア検出手段と、
前記第２の通信手段を用いた無線通信中に前記エリア検出手段が前記無線サービスエリアを検出した場合、前記無線通信の経路を前記第２の通信手段から前記第１の通信手段に切り替える制御手段とを備えたことを特徴とする携帯通信端末。
【請求項２】
前記エリア検出手段が前記無線サービスエリアを検出しなくなった場合、前記制御手段は前記無線通信の経路を前記第１の通信手段から前記第２の通信手段に切り替えることを特徴とする請求項１記載の携帯通信端末。
【請求項３】
前記広域のサービスを提供するシステムがｃｄｍａ ２０００ １ｘＥＶ− ＤＯ 方式のシステムであることを特徴とする請求項１又は２記載の携帯通信端末。
【請求項４】
局所的にサービスを提供するシステムとの無線通信を行う第１の通信手段と、
広域のサービスを提供するシステムとの無線通信を行う第２の通信手段と、
前記局所的にサービスを提供するシステムの無線サービスエリアを検出するエリア検出手段と、
自己の位置を検出する位置検出手段と、
前記エリア検出手段が前記無線サービスエリアを検出した場合、前記位置検出手段が検出した位置情報を前記第１の通信手段又は第２の通信手段を介してサーバに送信する制御手段と、を備えたことを特徴とする携帯通信端末。
【請求項５】
局所的にサービスを提供するシステムとの無線通信を行う第１の通信手段と、
広域のサービスを提供するシステムとの無線通信を行う第２の通信手段と、
前記局所的にサービスを提供するシステムの無線サービスエリアを検出するエリア検出手段と、
自己の位置を検出する位置検出手段と、
前記エリア検出手段が前記無線サービスエリアを検出しなくなった場合、前記位置検出手段が検出した位置情報を前記第２の通信手段を介してサーバに送信する制御手段と、を備えたことを特徴とする携帯通信端末。
【請求項６】
前記第１の通信手段又は前記第２の通信手段を介して前記サーバから前記局所的にサービスを提供するシステムの無線サービスエリア情報を受信するサービスエリア情報受信手段と、
前記受信した無線サービスエリア情報に基づいて前記局所的にサービスを提供するシステムの無線サービスエリアを報知する報知手段と、を備えたことを特徴とする請求項４又は５記載の携帯通信端末。
【請求項７】
前記制御手段は、前記第２の通信手段を用いた無線通信を行っている場合に前記位置情報を前記サーバに送信することを特徴とする請求項４ないし６のいずれかに記載の携帯通信端末。
【請求項８】
前記広域のサービスを提供するシステムがｃｄｍａ ２０００ １ｘＥＶ− ＤＯ 方式のシステムであることを特徴とする請求項４〜７のいずれか１項記載の携帯通信端末。
【請求項９】
携帯通信端末と、この携帯通信端末から送信された情報を管理するサーバとからなる無線通信システムにおいて、
前記携帯通信端末は、
局所的にサービスを提供するシステムの無線サービスエリアを検出するエリア検出手段と、
自己の位置を検出する位置検出手段と、
前記エリア検出手段が前記無線サービスエリアを検出した場合又は前記無線サービスエリアを検出しなくなった場合に、前記位置検出手段が検出した位置情報を前記サーバに送信する送信制御手段と、
前記サーバから前記局所的にサービスを提供するシステムの無線サービスエリア情報を受信するサービスエリア情報受信手段と、
前記受信した無線サービスエリア情報に基づいて前記局所的にサービスを提供するシステムの無線サービスエリアを報知する報知手段とを備え、
前記サーバは、
前記携帯通信端末から前記局所的にサービスを提供するシステムの無線サービスエリアに基づく位置情報を受信する受信手段と、
前記受信した位置情報を無線サービスエリア情報として管理する管理手段と、
前記管理手段が管理する無線サービスエリア情報を前記携帯通信端末に送信する送信手段と、を備えたことを特徴とする無線通信システム。
【発明の詳細な説明】
【技術分野】
【０００１】
本発明は、無線LAN等の局所的にサービスを提供するシステムとの無線通信を行う携帯電話機等の携帯通信端末及びこの携帯通信端末とサーバからなる無線通信システムに関するものである。
【背景技術】
【０００２】
最近、携帯電話機、パソコン等の携帯通信端末を用いて無線LANによる高速通信を行うことが可能になってきた。例えば携帯電話機で無線LANによる通信を行う場合は、携帯電話機を持つユーザが無線通信ネットワークのホットスポットと呼ばれる無線サービスエリアの中に入っている場合に通信が可能になる。このホットスポットは、基地局の新設・廃止や周囲の建物・構造物の変更等に伴う電波伝播特性の変動等により日々変化している。このためユーザは無線LANによる通信を行う場所がホットスポット内にあるか否かを予め知っておく必要がある。
【０００３】
このためホットスポットになり得る地域に予め無線LANによる通信が可能な場所（現状では喫茶店、ファストフード店、ホテル等）を設定しておき、ユーザはその場所が現在ホットスポットであるか否かを確認し、ホットスポットである場合にその場所に出向いて携帯電話機を通常のｃｄｍａ ２０００ １ｘＥＶ− ＤＯ方式等の携帯電話通信事業者のシステムによる通信モードから無線LANによる通信モードに切り替えて電子メールやインターネット等を高速通信で行うことができる。その場所がホットスポットであるか否かを確認する方法として、例えば本、テレビ、インターネット等で調べる方法がある。
【０００４】
尚、無線LANを用いた関連技術として、例えば道路の状況に関する情報を推計し、通信サービスユーザに提供するためのシステムがある。これは無線通信ネットワークの無線サービスエリアの中に位置する道路の交通状況の推定を行うために、現在と過去の無線ネットワーク上の無線データの分析を行う。分析されるデータは以下のようになる。
【０００５】
１．ある特定の時間に１つかそれ以上のセルにいる動作中−非通話中の無線エンドユー・デバイスの数。
２．無線通信ネットワークのロケーション・エリアに登録された通信中−非通話中の無線エンドユーザ・デバイスの数。
３．ある特定の時期に１つかそれ以上のセルで車載エンドユーザ・デバイスが費やす時間とその実際と予想を含む。
また、特許文献１には、次世代の高速無線通信方式の１つであるｃｄｍａ ２０００ １ｘＥＶ− ＤＯ方式が開示されている。
【特許文献１】特開２００２−３００６４４号公報
【発明の開示】
【発明が解決しようとする課題】
【０００６】
しかしながら、ホットスポット情報は新しいものほど価値があるが、本やテレビ等で入手できるホットスポット情報は、現状では１時間前に設定されたホットスポット情報を入手することは困難であった。また、ｃｄｍａ ２０００ １ｘＥＶ− ＤＯ による通信モードから無線LANによる通信モードに切り替えるために、ユーザがパスワードを入力する必要がある等煩雑な手間を要していた。このため無線LANによる通信の利用回数を低下させることがあった。
【０００７】
また、前述した無線LANの関連技術は、あくまで交通渋滞の情報を知るものであり、無線通信自体は道路の混み具合を知るための一つの手段でしかない。その無線通信端末の利用価値を高めるものではない。またその端末を持ち移動しているユーザに取ってのメリットがない。
【０００８】
本発明は上記の問題を解決するためのもので、無線LANによる通信モードとｃｄｍａ ２０００ １ｘＥＶ− ＤＯ等の他の通信方式による通信モードとを有する携帯電話機等の携帯通信端末において、最新のホットスポット情報に基づいて通信モードの切り替えを自動的に行えるようにすることを目的とする。
また、常に最新のホットスポット情報をサーバで管理できるようにすることを目的とする。
【課題を解決するための手段】
【０００９】
上記の目的を達成するために本発明による携帯通信端末は、局所的にサービスを提供するシステムとの無線通信を行う第１の通信手段と、広域のサービスを提供するシステムとの無線通信を行う第２の通信手段と、前記局所的にサービスを提供するシステムの無線サービスエリアを検出するエリア検出手段と、前記第２の通信手段を用いた無線通信中に前記エリア検出手段が前記無線サービスエリアを検出した場合、前記無線通信の経路を前記第２の通信手段から前記第１の通信手段に切り替える制御手段とを備えたことを特徴とするものである。
【００１０】
また、本発明による携帯通信端末は、前記エリア検出手段が前記無線サービスエリアを検出しなくなった場合、前記制御手段は前記無線通信の経路を前記第１の通信手段から前記第２の通信手段に切り替えることを特徴とする。
また、前記広域のサービスを提供するシステムがｃｄｍａ ２０００ １ｘＥＶ− ＤＯ 方式のシステムであることを特徴とする。
また、局所的にサービスを提供するシステムとの無線通信を行う第１の通信手段と、広域のサービスを提供するシステムとの無線通信を行う第２の通信手段と、前記局所的にサービスを提供するシステムの無線サービスエリアを検出するエリア検出手段と、自己の位置を検出する位置検出手段と、前記エリア検出手段が前記無線サービスエリアを検出した場合、前記位置検出手段が検出した位置情報を前記第１の通信手段又は第２の通信手段を介してサーバに送信する制御手段と、を備えたことを特徴とする。
【００１１】
また、本発明による携帯通信端末は、局所的にサービスを提供するシステムとの無線通信を行う第１の通信手段と、広域のサービスを提供するシステムとの無線通信を行う第２の通信手段と、前記局所的にサービスを提供するシステムの無線サービスエリアを検出するエリア検出手段と、自己の位置を検出する位置検出手段と、前記エリア検出手段が前記無線サービスエリアを検出しなくなった場合、前記位置検出手段が検出した位置情報を前記第２の通信手段を介してサーバに送信する制御手段と、を備えたことを特徴とする。
また、本発明による携帯通信端末は、前記第１の通信手段又は前記第２の通信手段を介して前記サーバから前記局所的にサービスを提供するシステムの無線サービスエリア情報を受信するサービスエリア情報受信手段と、前記受信した無線サービスエリア情報に基づいて前記局所的にサービスを提供するシステムの無線サービスエリアを報知する報知手段と、を備えたことを特徴とする
また、本発明による携帯通信端末は、前記制御手段は、前記第２の通信手段を用いた無線通信を行っている場合に前記位置情報を前記サーバに送信することを特徴とする。
また、本発明による携帯通信端末は、前記広域のサービスを提供するシステムがｃｄｍａ ２０００ １ｘＥＶ− ＤＯ 方式のシステムであることを特徴とする。
【００１２】
また、本発明による無線通信システムは、携帯通信端末と、この携帯通信端末から送信された情報を管理するサーバとからなる無線通信システムにおいて、前記携帯通信端末は、
局所的にサービスを提供するシステムの無線サービスエリアを検出するエリア検出手段と、自己の位置を検出する位置検出手段と、前記エリア検出手段が前記無線サービスエリアを検出した場合又は前記無線サービスエリアを検出しなくなった場合に、前記位置検出手段が検出した位置情報を前記サーバに送信する送信制御手段と、前記サーバから前記局所的にサービスを提供するシステムの無線サービスエリア情報を受信するサービスエリア情報受信手段と、前記受信した無線サービスエリア情報に基づいて前記局所的にサービスを提供するシステムの無線サービスエリアを報知する報知手段とを備え、前記サーバは、
前記携帯通信端末から前記局所的にサービスを提供するシステムの無線サービスエリアに基づく位置情報を受信する受信手段と、前記受信した位置情報を無線サービスエリア情報として管理する管理手段と、前記管理手段が管理する無線サービスエリア情報を前記携帯通信端末に送信する送信手段と、を備えたことを特徴とする。
【００１３】
従って、上記構成によれば、第１の通信手段を用いて広域のサービスを提供するシステムとの無線通信を行っているときに、エリア検出手段が自装置が無線サービスエリアに入ったことを検出すると、制御手段が第２通信手段から第１の通信手段による無線LAN等の局所的にサービスを提供するシステムとの通信モードを自動的に設定するので、ユーザが切り替えを行う手間を省くことができる。
【００１４】
また、上記構成によれば、エリア検出手段が無線サービスエリアに入ったことを検出すると、制御手段が、位置検出手段が検出した自装置の位置情報を、第１の通信手段による局所的にサービスを提供するシステムを介して、又は第２の通信手段による広域のサービスを提供するシステムを介してサーバに送信するので、サーバに対して常に最新の無線サービスエリア情報を送信することができる。
【００１５】
また、上記構成によれば、エリア検出手段が無線サービスエリアから出たことを検出した場合、制御手段が、位置検出手段が検出した自装置の位置情報を、第２の通信手段による広域のサービスを提供するシステムを介してサーバに送信するので、サーバに対して常に最新の無線サービスエリア情報を送信することができる。
【００１６】
また、上記構成によれば、携帯通信端末のエリア検出手段が無線サービスエリアに入ったこと又は無線サービスエリアから出たことを検出した場合、報知手段がこれを報知するので、ユーザは局所的にサービスを提供するシステムの無線サービスエリアに入ったことあるいは出たことを知ることができる。また、このとき送信制御手段が位置検出手段が検出した自装置の位置情報をサーバに送信し、サーバは受信した位置情報を局所的にサービスを提供するシステムの無線サービスエリア情報として管理するので、サーバは常に最新の無線サービスエリア情報を持つことができると共に、送信手段によりこの無線サービスエリア情報を必要に応じて携帯通信端末に知らせることができる。
【発明の効果】
【００１７】
本発明によれば、従来ユーザにとって無線LANとｃｄｍａ ２０００ １ｘＥＶ− ＤＯ等のその他の通信方式を切替えるという作業は非常に手間のかかるものであったが、ホットスポットに入ったときと出た場合に端末側で通信モードの切り替えを自動的に行うことができるので便利であり、無線LANの利用価値を高めることができる。
また、サーバには常に最新のホットスポット情報がアップロードされるので、その情報をユーザに知らせることができ、ユーザは自分で探す手間を省くことができると共に、常に最新のホットスポット情報を知ることができる。
【発明を実施するための最良の形態】
【００１８】
図１は本発明の実施の形態による無線通信システムを示す構成図である。
本実施の形態による無線通信システムは、無線LAN モード（局所的にサービスを提供するシステムとの通信モード）とその他の通信方式、例えばｃｄｍａ ２０００ １ｘＥＶ− ＤＯ による通信モード（広域のサービスを提供するシステムとの通信モード）とを持つデュアルモード携帯通信端末としての携帯電話機を用い、上記二つの通信モードの切り替えを自動的に行うようにしたものである。尚、以下の説明においては、無線LANによる通信モードを単に無線LAN、ｃｄｍａ ２０００ １ｘＥＶ− ＤＯ方式による通信モードを単にｃｄｍａ ２０００ １ｘＥＶ− ＤＯというものとする。
【００１９】
このために携帯電話機は、自機が無線LANのホットスポットに入ったことを検出し、この検出に応じてｃｄｍａ ２０００ １ｘＥＶ− ＤＯから無線LANに自動的に切り替えを行う。これと共に携帯電話機はその位置情報をGPSから取得し、取得した位置情報を過去のホットスポット情報を記録しているサーバに無線LAN 又はｃｄｍａ ２０００ １ｘＥＶ− ＤＯ によりアップロードしてホットスポット情報の更新を行う。また、携帯電話機が無線LANのホットスポットから出たことを検出すると、無線LANからｃｄｍａ ２０００ １ｘＥＶ− ＤＯへ自動的に切り替えを行うと共に、その位置情報をGPSから取得し、取得した位置情報を上記サーバにｃｄｍａ ２０００ １ｘＥＶ− ＤＯによりアップロードしてホットスポット情報の更新を行う。
【００２０】
図１において、１は無線LANのホットスポット、２はホットスポット１内で無線LAN通信を行う基地局、３はｃｄｍａ ２０００ １ｘＥＶ− ＤＯ通信を行う基地局、４はホットスポット１に出入りして無線LAN 及びｃｄｍａ ２０００ １ｘＥＶ− ＤＯ による通信を行う携帯電話機である。５は基地局２，３とインターネット等を介して通信するサーバである。サーバ５はホットスポットの位置情報を記録するメモリ６を有する。７は携帯電話機４の位置を検出するためのGPSである。
【００２１】
図２は携帯電話機４の構成を示すブロック図である。
携帯電話機４は、CPU４１、無線LAN通信部４２、ｃｄｍａ ２０００ １ｘＥＶ− ＤＯ通信部４３、ホットスポット検出部４４、位置検出部４５、ROM４６、RAM４７、操作部４８、表示部４９により図示のように構成されている。
【００２２】
次に、上記構成による動作について説明する。
図１において、携帯電話機４と基地局２、３はそれぞれ常に所定の信号の通信を行っている。また、サーバ５のメモリ６には過去のホットスポットの位置を示すホットスポット情報が記憶されている。
【００２３】
図１、図２において、携帯電話機４のホットスポット検出部４４が基地局２からの信号に基づいて自機が無線LANの無線サービスエリアであるホットスポット１に入ったことを検出すると、これに応じてCPU４１は通信モードをｃｄｍａ ２０００ １ｘＥＶ− ＤＯから無線LANに自動的に切り替え設定する。
【００２４】
これと共に上記検出に応じて位置検出部４５はそのときの携帯電話機４の位置をGPS７から取得し、取得した位置情報をｃｄｍａ ２０００ １ｘＥＶ− ＤＯ通信部４３により基地局３からサーバ５にアップロードする。あるいは無線LAN通信部４２により基地局２からサーバ５にアップロードする。これによりサーバ５はメモリ６の過去のホットスポット情報を更新する。
以上によりユーザは、携帯電話機４を用いて無線LANによる高速通信で電子メールやインターネット等を行うことができる。
【００２５】
また、携帯電話機４が無線LANのホットスポット２から出たとき、もしくは無線LANの通信速度がある程度低くなったことをホットスポット検出部４４が検出すると、CPU４１は無線LANからｃｄｍａ ２０００ １ｘＥＶ− ＤＯに自動的に切り替え設定する。これと共に位置検出部４５はその位置情報をGPS７から取得し、取得した位置情報をｃｄｍａ ２０００ １ｘＥＶ− ＤＯ 通信部４３により基地局５からサーバ５にアップロードしてメモリ６のホットスポット情報を更新する。
【００２６】
本実施の形態によれば、無線LANとｃｄｍａ ２０００ １ｘＥＶ− ＤＯ の切替え操作をユーザ自身が行う必要がなく、携帯電話機側で自動的に切替えることができる。これにより例えばファイルのダウンロード中であれば切替える時間を短縮できるし、ストリーミング中の場合はモードを切替えるための作業がなくなるので、快適にマルチメディアを楽しむことができる。
また、増減変化する無線LANのホットスポットの位置情報をリアルタイムにメモリ６上で更新することができる。
【００２７】
このようにメモリ６にはいつも最新のホットスポット情報がアップロードされていくので、その位置情報を受信し、表示部４９で表示するようにすれば、ユーザはホットスポットが現在どこにあるか、また、ここを過ぎるとホットスポットから出てしまう、という情報を知ることができる。また、ホットスポットが閉鎖された場合にも、ホットスポット情報は自動的に更新されるので、リアルタイムにホットスポットの動きが分かるようになり、無線LANの使用がより容易になる。また、ユーザはホットスポット情報を本、テレビ、インターネット等の手段を使って入手する手間を省くことができる。
【００２８】
また、メモリ６の最新のホットスポット情報を携帯電話機４がホットスポット内にあるときに無線LAN又はｃｄｍａ ２０００ １ｘＥＶ− ＤＯにより携帯電話機４に知らせることにより、ストリーミングやダウンロードの途中であれば、ホットスポットから出ないでストリーミングやダウンロードが終わるまでその場で待つことも可能になる。
【００２９】
以上は携帯端末として携帯電話機を用いた場合について説明したが、パソコン等の他の携帯端末であってよい。また、ｃｄｍａ ２０００ １ｘＥＶ− ＤＯによる通信方式とは異なる他のデータ通信方式を用いることができる。
【図面の簡単な説明】
【００３０】
【図１】本発明の実施の形態による無線通信システムを示す構成図である。
【図２】本発明の実施の形態による携帯電話機を示すブロック図である。
【符号の説明】
【００３１】
１：ホットスポット、２：無線LANの基地局、３：ｃｄｍａ ２０００ １ｘＥＶ− ＤＯの基地局、４：携帯電話機、５：サーバ、６：メモリ、７：GPS、４１：CPU、４２：無線LAN通信部、４３：ｃｄｍａ ２０００ １ｘＥＶ− ＤＯ 通信部、４４：ホットスポット検出部、４５：位置検出部、４６：ROM、４７：RAM、４８：操作部、４９：表示部
【図１】
2005079844.tif 000003
【図２】
2005079844.tif 000004